(57)【特許請求の範囲】
【請求項１】
ＰＨＳシステムにおけるデータ配信方法であって、該ＰＨＳシステムは情報提供装置と接続する接続装置と制御データを振り分ける振り分け装置を有し、
前記接続装置は、ＰＨＳ端末からのデータ配信要求に応じて前記情報提供装置からデータを取得し、該データを前記振り分け装置に適合した大きさのパケットに分割して振り分け装置に送信し、
該振り分け装置が該パケットを制御回線を介して基地局に送信し、
該基地局が該パケットを前記ＰＨＳ端末に送信することを特徴とするデータ配信方法。
【請求項２】
前記制御回線はパケット伝送チャネルを有する請求項１に記載のデータ配信方法。
【請求項３】
前記ＰＨＳ端末と前記ＰＨＳシステムとの接続が切断した場合、前記接続装置は取得したデータを所定の時間保留する請求項１に記載のデータ配信方法。
【請求項４】
前記ＰＨＳ端末は前記パケットを受信した旨の応答を前記接続装置に送信し、
前記接続装置は該応答を受信した後に次のパケットを送信する請求項１に記載のデータ配信方法。
【請求項５】
前記応答の数を計測することによって課金処理を行う請求項４に記載のデータ配信方法。
【請求項６】
前記情報提供装置をインターネット上に設けた請求項１ないし５のうちいずれか１項に記載のデータ配信方法。
【請求項７】
データ配信を行うＰＨＳシステムであって、
情報提供装置と接続する接続装置と、制御データを振り分ける振り分け装置を有し、
前記接続装置は、ＰＨＳ端末からのデータ配信要求に応じて前記情報提供装置からのデータを取得する手段と、該データを前記振り分け装置に適合した大きさのパケットに分割する手段と、該パケットを振り分け装置に送信する手段とを有し、
該振り分け装置は該パケットを制御回線を介して基地局に送信する手段を有し、
基地局は該パケットを前記ＰＨＳ端末に送信する手段を有することを特徴とするＰＨＳシステム。
【請求項８】
前記制御回線はパケット伝送チャネルを有する請求項７に記載のＰＨＳシステム。
【請求項９】
前記接続装置は、前記ＰＨＳ端末と前記ＰＨＳシステムとの接続が切断した場合、取得したデータを所定の時間保留する手段を有する請求項７に記載のＰＨＳシステム。
【請求項１０】
前記接続装置は前記ＰＨＳ端末から前記パケットを受信した旨の応答を受信した後に次のパケットを送信する手段を有する請求項７に記載のＰＨＳシステム。
【請求項１１】
前記応答の数を計測することによって課金処理を行う手段を有する請求項１０に記載のＰＨＳシステム。
【請求項１２】
前記情報提供装置をインターネット上に設けた請求項７ないし１１のうちいずれか１項に記載のＰＨＳシステム。
【請求項１３】
請求項７ないし１２のうちいずれか１項に記載のＰＨＳシステムと通信するＰＨＳ端末であって、
前記接続装置から送信されたデータを受信する手段と、
該データを閲覧する手段と、
該データを受信すると受信した旨を表す応答を前記接続装置に送信する手段とを有することを特徴とするＰＨＳ端末。
【請求項１４】
前記ＰＨＳシステムとの接続が切断した際、切断までに受信したデータを所定の時間保留する手段と、接続が回復した後、該受信したデータに続くデータから前記ＰＨＳシステムに要求する手段を有する請求項１３に記載のＰＨＳ端末。
【発明の詳細な説明】
【０００１】
【発明の属する技術分野】
本発明はＰＨＳシステムにおけるデータ通信技術に関する。
【０００２】
【従来の技術】
ＰＨＳシステムにおいてインターネット上のサービスを利用する場合、従来の技術では、モデムを利用して音声信号としてデータを送る方法やＩＳＤＮのＢチャネルを用いたＰＩＡＦＳを使用する方法でインターネットプロバイダに接続していた。また、インターネット上のサービスを利用する際にはＰＨＳ端末を接続したパソコン等を使用していた。
【０００３】
【発明が解決しようとする課題】
近年、種々のコンテンツやインターネット上のコンテンツを直接携帯電話で受信することを可能とするサービスが普及してきており、その利用者は手軽に種々のコンテンツサービスを受けることが可能となっている。しかしながら、上記従来のＰＨＳシステムにおいては、パソコンとモデムやＰＩＡＦＳ対応装置が必要であり、インターネットを利用する場合にはプロバイダに接続しなければならず、利用者は手軽にコンテンツサービスを受けることができない。
【０００４】
本発明は上記の点に鑑みてなされたものであり、利用者が手軽にコンテンツサービスを受けることを可能とするＰＨＳシステムを提供することを目的とする。また、低コストで短期間に新サービスを提供することが望ましいため、既存の設備を有効に活用して上記のサービスを提供することを目的とする。
【０００５】
【課題を解決するための手段】
上記の目的を達成するために本発明は次のように構成される。
【０００６】
請求項１に記載された発明は、ＰＨＳシステムにおけるデータ配信方法であって、該ＰＨＳシステムは情報提供装置と接続する接続装置と制御データを振り分ける振り分け装置を有し、前記接続装置は、ＰＨＳ端末からのデータ配信要求に応じて前記情報提供装置からデータを取得し、該データを前記振り分け装置に適合した大きさのパケットに分割して振り分け装置に送信し、該振り分け装置が該パケットを制御回線を介して基地局に送信し、該基地局が該パケットを前記ＰＨＳ端末に送信する。
【０００７】
請求項２に記載された発明は、前記制御回線をパケット伝送チャネルを有するものとしたデータ配信方法である。
請求項１〜２に記載された発明によれば、ＰＨＳ端末がＰＨＳシステムの制御回線を介して情報提供装置からのデータを受信することが可能となる。従って、情報提供装置から種々のサービスをＰＨＳ端末が受けることが可能となる。また、既存の制御回線を使用するため、ＰＨＳシステムにおいてデータ送信用に別の回線を設ける必要がなく、コスト削減等に効果がある。
【０００８】
請求項３に記載された発明は、前記ＰＨＳ端末と前記ＰＨＳシステムとの接続が切断した場合、前記接続装置は取得したデータを所定の時間保留するようにするものである。
本発明によれば、ハンドオーバや利用者からの切断等によりＰＨＳ端末とＰＨＳシステムとの回線が切断された場合でも、データが保留されるため、ＰＨＳ端末は回線が回復した後に要求したデータを続けて受信することが可能となる。
【０００９】
請求項４に記載された発明は、前記ＰＨＳ端末が前記パケットを受信した旨の応答を前記接続装置に送信し、前記接続装置は該応答を受信した後に次のパケットを送信することとするものである。
本発明によれば、ＰＨＳ端末は確実に一連のデータを受信することが可能となる。
【００１０】
請求項５に記載された発明は、前記応答の数を計測することによって課金処理を行うようにしたものである。
本発明によればＰＨＳ端末からの受信応答を用いるため、課金処理を効率的に行うことが可能となる。
請求項６に記載された発明は、前記情報提供装置をインターネット上に設けたものである。
【００１１】
本発明によれば、情報提供装置に蓄積された情報のみでなく、インターネット上の各種情報を情報提供装置を介してＰＨＳ端末に提供することが可能となる。
【００１２】
請求項７に記載された発明は、データ配信を行うＰＨＳシステムであって、情報提供装置と接続する接続装置と、制御データを振り分ける振り分け装置を有し、前記接続装置は、ＰＨＳ端末からのデータ配信要求に応じて前記情報提供装置からのデータを取得する手段と、該データを前記振り分け装置に適合した大きさのパケットに分割する手段と、該パケットを振り分け装置に送信する手段とを有し、該振り分け装置は該パケットを制御回線を介して基地局に送信する手段を有し、基地局は該パケットを前記ＰＨＳ端末に送信する手段を有する。
【００１３】
請求項８に記載された発明は、前記制御回線をパケット伝送チャネルを有するものとしたものである。
請求項９に記載された発明は、前記接続装置が、前記ＰＨＳ端末と前記ＰＨＳシステムとの接続が切断した場合、取得したデータを所定の時間保留する手段を有するものである。
【００１４】
請求項１０に記載された発明は、前記接続装置が前記ＰＨＳ端末から前記パケットを受信した旨の応答を受信した後に次のパケットを送信する手段を有することとしたものである。
請求項１１に記載された発明は、前記応答の数を計測することによって課金処理を行う手段を設けたものである。
【００１５】
請求項１２に記載された発明は、前記情報提供装置をインターネット上に設けたものである。
請求項７〜１２の発明によれば、本発明のデータ配信方法に適したＰＨＳシステムを提供でき、これまでに説明したものと同様の作用効果を得ることが可能となる。
【００１６】
請求項１３に記載された発明は、上記のＰＨＳシステムと通信するＰＨＳ端末であって、前記接続装置から送信されたデータを受信する手段と、該データを閲覧する手段と、該データを受信すると受信した旨を表す応答を前記接続装置に送信する手段とを有する。
請求項１４に記載された発明は、前記ＰＨＳシステムとの接続が切断した際、切断までに受信したデータを所定の時間保留する手段と、接続が回復した後、該受信したデータに続くデータから前記ＰＨＳシステムに要求する手段を上記ＰＨＳ端末に設けたものである。
【００１７】
請求項１３、１４に記載された発明によれば、本発明のＰＨＳシステムとの通信に適したＰＨＳ端末を提供することができる。
【００１８】
【発明の実施の形態】
図１に本発明の一実施例におけるＰＨＳシステムの構成を示す。本発明のＰＨＳシステムは基地局１、パケット振り分け装置３、データベース装置５、監視制御装置７、接続装置９、及び課金装置１１を有し、基地局１はＩＳＤＮ網１３に接続される。データベース装置５と監視制御装置７はパケット振り分け装置３に接続され、パケット振り分け装置５はパケット網１５を介してＩＳＤＮ網１３に接続される。また、ＰＨＳ端末１７が無線により基地局１と通信を行ない、通常の発信呼はＰＨＳ端末１７から基地局１、ＩＳＤＮ網１３、及び通話網１９を経由して相手先と接続し、通話が行われる。なお、上記の構成は従来のＰＨＳシステムに接続装置９、及び課金装置１１が追加された構成である。
【００１９】
データベース装置５はＰＨＳシステムにおける付加サービスを提供するための装置であり、基地局１あるいはＰＨＳ端末１７からのアクセスを受けて種々の処理を行う。そのアクセスはパケットを用いてＩＳＤＮのＤチャンネル及びパケット網１５を経由して行われる。例えば、あるサービスの利用を希望してＰＨＳ端末１７の利用者が発信を行うと、ＰＨＳ端末１７の識別情報がデータベース装置５に送られ、データベース装置５ではその利用者がそのサービスを受けることができるかどうかの認証を行うことができる。認証が成功した場合にはそのサービスが提供される。監視制御装置７は基地局１等を監視制御する機能を有している。
【００２０】
パケット振り分け装置３はパケット網１５から受信するパケットをパケットの種類によって各装置に振り分ける機能を有し、本実施例では、データベース装置５へのパケットと監視制御装置７へのパケットと後述する接続装置９へのパケットを識別し、該当する装置へパケットを振り分ける。図２にパケット振り分け装置の一例を示す。同図において、パケット網からパケット網インタフェースを介して受信したパケットデータが主制御部にてスイッチされ、該当するパケット網インタフェースから出力される。また、同図において、装置２〜５はそれぞれ装置１と同様の構成を有する。
【００２１】
接続装置９はＰＨＳシステムと情報提供装置２１を接続するための装置である。情報提供装置２１にはデータコンテンツが格納されており、パケット振り分け装置３を介してパケット網及びＩＳＤＮのＤチャネルでＰＨＳ端末１７に種々のサービスを提供する。また、情報提供装置２１はインターネットに接続することも可能である。接続装置９と情報提供装置２１はＬＡＮあるいはインターネットを含む種々のデータネットワークを介して接続できる。課金装置１１は情報提供装置が提供するサービスの課金を行う。なお、接続装置９と課金装置１１の詳細は後述する。このような構成とすることによってＰＨＳ端末１７はプロバイダ等に接続することなくデータコンテンツを受信することができる。
【００２２】
さて、上記のパケット振り分け装置３は既存の装置であり、主に制御データの処理に使用するように構成されている。ここで、情報提供装置２１からのデータコンテンツは一般に制御データより大容量であるので、情報提供装置２１を直接既存のパケット振り分け装置３に接続してデータコンテンツを受信することはできない。そこで、上記のように接続装置９を設けている。すなわち、接続装置９は情報提供装置２１から大容量のデータを受信し、そのデータをパケット振り分け装置３の処理能力に適合できる大きさに分割してパケット振り分け装置３に送信し、パケット振り分け装置３は分割されたデータをＰＨＳ端末に送信する。
【００２３】
本発明のＰＨＳシステムの動作を、図３に示すシーケンスチャートを使用して詳細に説明する。
ＰＨＳ端末１７がコンテンツを要求すると（ステップ１）、コンテンツ要求データが基地局１に送信される。基地局１はコンテンツ要求データを受信すると、そのコンテンツ要求データを保存しておき、ＰＨＳ端末１７がサービスを受けることが可能であるかどうかの認証を接続装置９に要求する（ステップ２）。この認証要求にはサービス識別情報及び送信元のＰＨＳ端末番号が含まれる。接続装置９では認証を行い、認証結果を基地局１に送信する（ステップ３）。ここで、接続装置９には例えば図４に示すテーブルが格納されており、接続装置９は送信元のＰＨＳ端末番号に対応する当該サービス可否の内容によりサービス提供の可否を判断し、認証結果として基地局１に送信する。なお、この認証はデータベース装置５が行うようにすることもできる。その場合、データベース装置５が図４に示すテーブルを格納する。
【００２４】
基地局１は認証結果がＮＧであればその旨をＰＨＳ端末１７に送信し（ステップ４）、認証結果がＯＫであれば、保存していたコンテンツ要求データを用いてコンテンツを要求する（ステップ５）。コンテンツ要求データはパケット振り分け装置３で接続装置９に送信され（ステップ６）、接続装置９は情報提供装置２１にコンテンツを要求する（ステップ７）。続いて、情報提供装置２１はコンテンツ要求データの内容に応じたコンテンツデータを接続装置９に送信する（ステップ８）。ここで、コンテンツデータは情報提供装置２１に予め蓄積されているか、もしくはコンテンツ要求データの内容によって情報提供装置２１がインターネット等を介して取得したものである。また、それらの両方の場合もある。
【００２５】
接続装置９はコンテンツデータを受信すると、それを一定時間保留し、パケット振り分け装置３が受信可能な容量に分割し、その分割したデータをＰＨＳ端末１７に向けて送信する（ステップ９）。
ＰＨＳ端末１７は分割したデータを受信すると受信した旨の情報を接続装置９に送信する（ステップ１０）。接続装置９はそのＰＨＳ端末１７からの応答を受信してから次の分割データをＰＨＳ端末１７に送信する。例えば、４ｋｂｙｔｅのコンテンツであれば１２８ｂｙｔｅの３２個のパケットに分割し、３２回送信する。
【００２６】
また、接続装置９はＰＨＳ端末１７からの応答の数をカウントし、その数を課金装置に送る。課金装置はその数から該当の利用者に対する課金を行う。
図５に接続装置９の要部構成を示す。同図に示すように、接続装置９は主制御部２３と蓄積部２５を有し、主制御部２３で情報提供装置２１からのデータを受信し、蓄積部２５に蓄積する。また、主制御部２３では蓄積されたデータをパケットに分割してパケット振り分け装置３に送信する。上述したように、ＰＨＳ端末からの応答を受信してから次のパケットを送信する。また、主制御部２３ではＰＨＳ端末からの受信応答の回数をカウントして課金装置１１に送信する。前述した認証におけるテーブルは蓄積部２５に格納され、認証の処理は主制御部２３によりそのテーブルを参照して行われる。
【００２７】
蓄積部２５におけるメモリ割当てはメモリ領域の無駄を省くために変動性とするが、ハンドオーバ、利用者からの切断等で回線が切断された場合、一定時間はその利用者のメモリ領域の使用をクリアしない。従って、回線が切断された場合でも、その利用者のためのデータを一定の時間保留することが可能である。その時間を計測するタイマーはパケット振り分け装置３が有する。
【００２８】
接続装置９は種々のサービスに関わる機能を持つことも可能である。例えば、情報提供装置２１を電子メールを蓄積、配信する装置とした場合に、その装置にメールが着信したことを検出し、その旨を該当のＰＨＳ端末に通知する構成とすることが可能である。
図６に課金装置１１の要部構成を示す。課金装置１１は主制御部２７と蓄積部２９を有し、主制御部２７で接続装置９からのカウント数を受信し、課金計算を行って、課金データを蓄積部２９に蓄積する。蓄積部２９のメモリ割当ては利用者毎に固定で割当てられる。
【００２９】
本発明のＰＨＳシステムで使用されるＰＨＳ端末１７は、情報提供装置２１からのデータを閲覧するためのブラウザ機能を有する。ＰＨＳ端末１７は接続装置９から分割されたパケットを受信すると受信した旨を表す応答信号を接続装置９に送信する。また、ハンドオーバ等で回線が切断された場合でもそれまでに受信したデータを一定時間保留しておくことが可能であり、回線が回復した後にその続きからデータ要求を行う。
【００３０】
図７にＰＨＳ端末の構成例を示す。ＰＨＳ端末は、無線信号の送受を行う無線部３１、信号の変復調、誤り制御、符号化・復号化等を行う信号処理部３３、マイク等からなる音声入出力部３５、全体の制御を行う制御部３７、画面表示や各種操作を行うための表示・制御部３９、電源部４１を有している。また、制御部３７はＣＰＵ４３、メモリ４５を有する。上記の動作は、例えば、メモリ４５に格納されたプログラムがＣＰＵ４３で実行されることによって実現される。
【００３１】
なお、本発明は上記の実施例に限定されることなく、特許請求の範囲内で種々変更・応用が可能である。
【００３２】
【発明の効果】
本発明によれば、利用者はＰＨＳ端末のみで種々のコンテンツを受信したり、インターネット上のサービスを手軽に利用することが可能となる。また、本発明のＰＨＳシステムは既存のＩＳＤＮのＤチャネルを使用し、従来のＰＨＳシステムに接続装置及び課金装置を追加することにより実現できるため、構築のコスト及び期間を削減することが可能である。
【図面の簡単な説明】
【図１】本発明の一実施例におけるＰＨＳシステムの構成を示す図である。
【図２】パケット振り分け装置の一例を示す図である。
【図３】本発明のＰＨＳシステムの動作を示すシーケンスチャートである。
【図４】接続装置に格納されるテーブルの例を示す図である。
【図５】接続装置の要部構成を示す図である。
【図６】課金装置の要部構成を示す図である。
【図７】ＰＨＳ端末の構成例を示す図である。
【符号の説明】
１  基地局
３  パケット振り分け装置
５  データベース装置
７  監視制御装置
９  接続装置
１１  課金装置
１３  ＩＳＤＮ網
１５  パケット網
１７  ＰＨＳ端末
１９  通話網
２１  情報提供装置
２３、２７  主制御部
２５、２９  蓄積部
３１  無線部
３３  信号処理部
３７  制御部
３９  表示・制御部
４１  電源部
４３  ＣＰＵ
４５  メモリ
【図１】
0003628573.tif 000002
【図２】
0003628573.tif 000003
【図３】
0003628573.tif 000004
【図４】
0003628573.tif 000005
【図５】
0003628573.tif 000006
【図６】
0003628573.tif 000007
【図７】
0003628573.tif 000008